(57)【特許請求の範囲】
【請求項１】
受信部で受信したアナログ信号をデジタル信号に変換するＡ／Ｄ変換回路と、受信信号をマルチキャリア復調する復調回路と、伝送路特性により歪んだ信号を補正するためのチャネル等化回路と、等化した信号の雑音レベルを測定する雑音レベル測定回路と、雑音レベルに基づいて通信に使用するサブキャリアを選択するサブキャリア選択回路とを含むマルチキャリア受信装置において、
各サブキャリアの受信信号の振幅を測定する振幅測定回路と、
前記チャネル等化回路による補正が固定小数演算で行われる場合に、各サブキャリアの受信信号の振幅が、前記チャネル等化回路で用いる等化係数Ｗ（ｋ）を下記定義式で定義する場合の１／│Ｅ(ｋ)│及び１／│Ｅ(ｋ)│２の一方に対して、その表現可能範囲を超えたか否かを判定する判定回路とを備え、
前記サブキャリア選択回路は、前記判定回路によってサブキャリアの受信信号の振幅が前記表現可能範囲を超えたと判定された場合に、当該サブキャリアの選択を禁止するものであり、
前記判定回路は、さらに受信信号の白色雑音レベルのばらつきを考慮するものであることを特徴とするマルチキャリア受信装置。
Ｅ(ｋ)＝Ｈ（ｋ）・ｄ（ｋ）＋ｎ（ｋ）
ゼロフォーシング等化の場合、ｄ（ｋ）＝１とすると、
Ｗ(ｋ)＝１／Ｈ（ｋ）＝Ｈ＊（ｋ）／│Ｈ(ｋ)│２＝Ｅ＊（ｋ）／│Ｅ(ｋ)│２
Ｅ(ｋ)：ＦＦＴ後の複素シンボル
Ｈ(ｋ)：伝送路特性（伝達関数）
ｎ（ｋ）：付加雑音
ｋ：サブキャリア番号
【請求項２】
受信部で受信したアナログ信号をデジタル信号に変換するＡ／Ｄ変換回路と、受信信号をマルチキャリア復調する復調回路と、伝送路特性により歪んだ信号を補正するためのチャネル等化回路と、等化した信号の雑音レベルを測定する雑音レベル測定回路と、雑音レベルに基づいて通信に使用するサブキャリアを選択するサブキャリア選択回路とを含むマルチキャリア受信装置において、
各サブキャリアの受信信号の振幅を測定する振幅測定回路と、
前記チャネル等化回路による補正が固定小数演算で行われる場合に、各サブキャリアの受信信号の振幅が、前記チャネル等化回路で用いる等化係数Ｗ（ｋ）を下記定義式で定義する場合の１／│Ｅ(ｋ)│及び１／│Ｅ(ｋ)│２の一方に対して、その表現可能範囲を超えたか否かを判定する判定回路とを備え、
前記サブキャリア選択回路は、前記判定回路によってサブキャリアの受信信号の振幅が前記表現可能範囲を超えたと判定された場合に、当該サブキャリアの選択を禁止するものであり、
前記判定回路は、前記受信部の受信信号に対する自動可変利得調整の利得のばらつきを考慮するものであることを特徴とするマルチキャリア受信装置。
Ｅ(ｋ)＝Ｈ（ｋ）・ｄ（ｋ）＋ｎ（ｋ）
ゼロフォーシング等化の場合、ｄ（ｋ）＝１とすると、
Ｗ(ｋ)＝１／Ｈ（ｋ）＝Ｈ＊（ｋ）／│Ｈ(ｋ)│２＝Ｅ＊（ｋ）／│Ｅ(ｋ)│２
Ｅ(ｋ)：ＦＦＴ後の複素シンボル
Ｈ(ｋ)：伝送路特性（伝達関数）
ｎ（ｋ）：付加雑音
ｋ：サブキャリア番号
【請求項３】
受信部で受信したアナログ信号をデジタル信号に変換するＡ／Ｄ変換回路と、受信信号をマルチキャリア復調する復調回路と、伝送路特性により歪んだ信号を補正するためのチャネル等化回路と、等化した信号の雑音レベルを測定する雑音レベル測定回路と、雑音レベルに基づいて通信に使用するサブキャリアを選択するサブキャリア選択回路とを含むマルチキャリア受信装置において、
各サブキャリアの受信信号の振幅を測定する振幅測定回路と、
前記チャネル等化回路による補正が固定小数演算で行われる場合に、各サブキャリアの受信信号の振幅が、前記チャネル等化回路で用いる等化係数Ｗ（ｋ）を下記定義式で定義する場合の１／│Ｅ(ｋ)│及び１／│Ｅ(ｋ)│２の一方に対して、その表現可能範囲を超えたか否かを判定する判定回路とを備え、
前記サブキャリア選択回路は、前記判定回路によってサブキャリアの受信信号の振幅が前記表現可能範囲を超えたと判定された場合に、当該サブキャリアの選択を禁止するものであり、
前記判定回路は、各サブキャリアの受信信号の各シンボル毎に前記表現可能範囲を超えたか否かを判断し、超えたと判断したシンボル値を、前記表現可能範囲内で所定の離間位置の値に置換し、前記サブキャリア選択回路は、前記置換された値を含めて雑音レベルを検出する
ことを特徴とするマルチキャリア受信装置。
Ｅ(ｋ)＝Ｈ（ｋ）・ｄ（ｋ）＋ｎ（ｋ）
ゼロフォーシング等化の場合、ｄ（ｋ）＝１とすると、
Ｗ(ｋ)＝１／Ｈ（ｋ）＝Ｈ＊（ｋ）／│Ｈ(ｋ)│２＝Ｅ＊（ｋ）／│Ｅ(ｋ)│２
Ｅ(ｋ)：ＦＦＴ後の複素シンボル
Ｈ(ｋ)：伝送路特性（伝達関数）
ｎ（ｋ）：付加雑音
ｋ：サブキャリア番号
【請求項４】
前記置換された値は、前記シンボル値に対して最大離間位置及び値０の一方であることを特徴とする請求項３記載のマルチキャリア受信装置。
【請求項５】
各サブキャリアの信号は少なくとも複数の評価用シンボルを有しており、前記振幅測定回路は、前記複数の評価用シンボルを用いて受信信号の振幅を算出するものであることを特徴とする請求項１〜４のいずれか１項に記載のマルチキャリア受信装置。
【請求項６】
各サブキャリアの信号は少なくともトレーニングシンボルを有しており、前記振幅測定回路は、前記トレーニングシンボルを用いて受信信号の振幅を算出するものであることを特徴とする請求項１〜４のいずれか１項に記載のマルチキャリア受信装置。
【発明の詳細な説明】
【技術分野】
【０００１】
本発明は、マルチキャリア伝送方式で送信された信号を受信する受信装置に関する。
【背景技術】
【０００２】
近年、周波数選択性フェージング環境にある無線ＬＡＮ等の無線通信、あるいは電力線搬送通信等の有線通信では、マルチキャリア伝送方式のひとつであるＯＦＤＭ(Orthogonal Frequency Division Multiplexing)が利用されている。ＯＦＤＭを用いた受信方法では、特許文献１，２に示すように、復調処理として離散フーリエ変換が施される。離散フーリエ変換された信号は周波数軸上の複素シンボルであり、チャネル等化器では、既知シンボルから各周波数について伝達関数を求め、伝達関数の逆数を等化係数とし、この等化係数を乗算することにより、伝送路による歪みを補正している。
【０００３】
さらに、特許文献３には、伝送効率の向上のためにサブキャリア適応変調技術が提案されている。サブキャリア適応変調とは、伝送路の状況に応じて各サブキャリアの変調方式や符号化率を、予め準備されている複数の中から選択可能にするものである一方、極端に伝送品質の劣悪なサブキャリアを不使用として処理するものである。
【特許文献１】特開２０００−２２８６５７号公報
【特許文献２】特開２０００−２４４４４２号公報
【特許文献３】特開２００６−１８６６３０号公報
【発明の開示】
【発明が解決しようとする課題】
【０００４】
ところで、デジタル回路では、ビット数と回路規模とは比例しており、かつ回路内の各演算部のビット数には制約がある。回路規模の小型化の要請に応えるためには、ビット数を可能な限り制限する必要がある。しかし、ビット数を制限すると、当然のことながら表現可能な範囲（ダイナミックレンジ）が狭くなる。チャネル等化器において、等化係数を算出する過程で表現可能範囲外となると、等化が正しく行われず、データを誤ってしまうという問題がある。具体的には、チャネル等化器で処理されたデータが表現可能範囲の境界付近の値となるような場合、等化処理を行う毎に、正しく等化される場合とされない場合とが混在することになる。伝送路特性評価時には正しく等化される一方、データ伝送時に誤って等化処理されてしまうと、エラーが期待値を超える場合がある。以上の問題は、遅延波の多い、周波数選択性フェージングが劣悪な環境において顕著に現れる。
【０００５】
本発明は、上記課題に鑑みてなされたもので、回路規模の小型化を図りながら、マルチキャリア伝送方式における周波数選択性フェージングの劣悪環境下においてもサブキャリアの選択精度を低下させることないマルチキャリア受信装置を提供することを目的とするものである。
【課題を解決するための手段】
【０００６】
請求項１に記載の発明は、受信部で受信したアナログ信号をデジタル信号に変換するＡ／Ｄ変換回路と、受信信号をマルチキャリア復調する復調回路と、伝送路特性により歪んだ信号を補正するためのチャネル等化回路と、等化した信号の雑音レベルを測定する雑音レベル測定回路と、雑音レベルに基づいて通信に使用するサブキャリアを選択する選択回路とを含むマルチキャリア受信装置において、各サブキャリアの受信信号の振幅を測定する振幅測定回路と、前記チャネル等化回路による補正が固定小数演算で行われる場合に、各サブキャリアの受信信号の振幅が、前記チャネル等化回路で用いる等化係数Ｗ（ｋ）を下記定義式で定義する場合の１／│Ｅ(ｋ)│及び１／│Ｅ(ｋ)│２の一方に対して、その表現可能範囲を超えたか否かを判定する判定回路とを備え、前記サブキャリア選択回路は、前記判定回路によってサブキャリアの受信信号の振幅が前記表現可能範囲を超えたと判定された場合に、当該サブキャリアの選択を禁止するものである。
【０００７】
Ｅ(ｋ)＝Ｈ（ｋ）・ｄ（ｋ）＋ｎ（ｋ）
ゼロフォーシング等化の場合、ｄ（ｋ）＝１とすると、
Ｗ(ｋ)＝１／Ｈ（ｋ）＝Ｈ＊（ｋ）／│Ｈ(ｋ)│２＝Ｅ＊（ｋ）／│Ｅ(ｋ)│２
Ｅ(ｋ)：ＦＦＴ後の複素シンボル
Ｈ(ｋ)：伝送路特性（伝達関数）
ｎ（ｋ）：付加雑音
ｋ：サブキャリア番号
【０００８】
この構成によれば、受信部で受信したアナログ信号はＡ／Ｄ変換回路でデジタル信号に変換され、復調回路でマルチキャリア復調された後、受信部までの伝送路特性により歪んだ信号がチャネル等化回路で補正される。さらに、雑音レベル測定回路により、等化した信号の雑音レベルが測定され、サブキャリア選択回路により、雑音レベルに基づいて通信に使用するサブキャリアが選択される。
【０００９】
また、各サブキャリアの受信信号の振幅が振幅測定回路で測定される。そして、前記チャネル等化回路による補正が固定小数演算で行われる場合に、各サブキャリアの受信信号の振幅が、前記チャネル等化回路で用いる等化係数Ｗ（ｋ）を上述の定義式で定義する場合の１／│Ｅ(ｋ) │及び１／│Ｅ(ｋ) │２の一方に対して、その表現可能範囲を超えたか否かが判定回路で判定される。前記サブキャリア選択回路は、前記判定回路によってサブキャリアの受信信号の振幅が前記表現可能範囲を超えたと判定された場合には、前記サブキャリア選択回路によって当該サブキャリアの選択が禁止、すなわち不使用とされる。
【００１０】
従って、雑音レベルの観点からサブキャリアの使用、不使用を選択（決定）すると共に、チャネル等化回路による補正を固定小数演算行う場合に、信号振幅、あるいは電力の逆数の表現可能範囲の可能性を利用して、さらにサブキャリアの使用、不使用を選択する条件を付加したので、信号処理のためのビット数をいたずらに増やすことなく、伝送路環境に応じた通信可能なサブキャリアを精度良く選択することが可能となる。
【００１１】
さらに、請求項１に記載の発明では、前記判定回路は、さらに受信信号の白色雑音レベルのばらつきを考慮するものであるので、上記選択条件に、さらに受信信号に含まれる白色ノイズによるばらつきを含めることで、サブキャリアの選択精度が向上する。
【００１２】
さらに、請求項２に記載の発明では、前記判定回路は、前記受信部の受信信号に対する自動可変利得調整の利得のばらつきを考慮するものであるので、上記選択条件に、さらに受信部の受信信号に対する自動可変利得調整の利得のばらつきを含めることで、サブキャリアの選択精度が向上する。
【００１３】
さらに、請求項３に記載の発明では、前記判定回路は、各サブキャリアの受信信号の各シンボル毎に表現可能範囲を超えたか否かを判断し、超えたと判断したシンボル値を、前記表現可能範囲内で所定の離間位置の値に置換し、前記サブキャリア選択回路は、前記置換された値を含めて雑音レベルを検出するものであるので、信頼性の低いシンボル値を選択条件から外れる方向に置換することで、雑音レベルを相対的に顕在化でき、この結果、サブキャリアの選択精度が向上する。
【００１４】
請求項４に記載の発明は、請求項３記載のマルチキャリア受信装置において、前記置換された値は、前記シンボル値に対して最大離間位置及び値０の一方であることを特徴とする。この構成によれば、シンボル値の置換値として、雑音レベルを最大限、顕在化させる値に置換するので、サブキャリアの選択精度が向上する。
【００１５】
請求項５に記載の発明は、請求項１〜４のいずれか１項に記載のマルチキャリア受信装置において、各サブキャリアの信号は少なくとも複数の評価用シンボルを有しており、前記振幅測定回路は、前記複数の評価用シンボルを用いて受信信号の振幅を算出するものである。また、請求項６に記載の発明は、請求項１〜４のいずれか１項に記載のマルチキャリア受信装置において、各サブキャリアの信号は少なくともトレーニングシンボルを有しており、前記振幅測定回路は、前記トレーニングシンボルを用いて受信信号の振幅を算出するものである。これらの構成によれば、サブキャリアに含まれるシンボル信号の振幅を用いて、受信信号の振幅測定を実現している。
【発明の効果】
【００１６】
請求項１に記載の発明によれば、雑音レベルの観点からサブキャリアの使用、不使用を選択（決定）すると共に、チャネル等化回路による補正を固定小数演算行う場合に、信号振幅、あるいは電力の逆数の表現可能範囲の可能性を利用して、さらにサブキャリアの使用、不使用を選択する条件を付加したので、信号処理のためのビット数をいたずらに増やすことなく、伝送路環境に応じた通信可能なサブキャリアを精度良く選択することができることとなる。
【００１７】
さらに、請求項１に記載の発明によれば、上記選択条件に、さらに受信信号に含まれる白色ノイズによるばらつきを含めることで、サブキャリアの選択精度を向上させることができる。
【００１８】
さらに、請求項２に記載の発明によれば、上記選択条件に、さらに受信部の受信信号に対する自動可変利得調整の利得のばらつきを含めることで、サブキャリアの選択精度を向上させることができる。
【００１９】
さらに、請求項３に記載の発明によれば、信頼性の低いシンボル値を選択条件から外れる方向に置換することで、雑音ノイズを相対的に顕在化でき、この結果、サブキャリアの選択精度を向上させることができる。
【００２０】
請求項４に記載の発明によれば、シンボル値の置換値として、雑音レベルを最大限、顕在化させる値に置換するので、サブキャリアの選択精度を向上させることができる。
【００２１】
請求項５，６に記載の発明によれば、サブキャリアに含まれるシンボル信号の振幅を用いて、そのまま受信信号の振幅測定ができる。
【発明を実施するための最良の形態】
【００２２】
図１は、本発明に係るマルチキャリア受信装置の一実施形態を示す回路図である。図２はマルチキャリア伝送方式で送信される信号の構造を示すもので、図２（ａ）はデータパケット構成の一例を示し、図２（ｂ）はテスト用としての評価用パケット構成の一例を示すものである。
【００２３】
マルチキャリア伝送方式は、周波数の異なる所定数Ｎ個のキャリア（それぞれを、サブキャリアという）を時系列方向に連続して伝送するもので、各サブキャリアに送信するべきデータが変調されているものである。図２（ａ）は、各サブキャリアで伝送されるデータのパケット構造の一例である。データパケット構造は、全体で所定ビット数に設定されており、それぞれ所定ビット数を有している。すなわち、先頭に付加された既知信号であるトレーニングシンボル、所定ビット数の所要の（伝送すべき）データ、所定ビット数のパイロット信号及び所要のデータ信号から構成されている。図２（ｂ）は、評価用パケット構成で、既知のトレーニングシンボルと、所要ビット数の評価用シンボルとから構成されている。
【００２４】
図１に示すマルチキャリア受信装置は、図２（ｂ）に示す信号で予め、あるいは所望する時点で伝送路の評価（利用するサブキャリアの選択）を行う一方、図２（ａ）に示す信号の受信時に、前記評価結果にて選択されたサブキャリアでの信号を受信情報として取り込むようにするもので、これにより伝送品質の劣悪なサブキャリアを可及的に排除して、伝送品質の維持を図るものである。
【００２５】
図１において、ＡＧＣ１１は、無線の場合には図略の受信部で受信した、また有線の場合には伝送されてきた、図２に示す信号（ＯＦＤＭ信号）を所定のゲインで増幅するものである。Ａ／Ｄ変換器１２は、所要の階調数（回路規模を大型化させない程度のビット数に相当）を有するもので、ＡＧＣ１１で増幅された信号をデジタル信号に変換するものである。ＦＦＴ１３は、Ａ／Ｄ変換器１２で変換されたデジタル信号を１つのＯＦＤＭシンボル長単位で離散高速フーリエ変換して、複素シンボル列を生成するものである。
【００２６】
チャネル等化器１４は、無線、有線を問わず、伝送路の影響により歪んだ信号を下記等化関数Ｗ（ｋ）で補正するものである。伝送路の歪みは、各サブキャリアの受信信号内の既知信号であるトレーニングシンボルを用いて推定している。
【００２７】
このトレーニングシンボルをｄ(ｋ)とすると、
Ｅ(ｋ)＝Ｈ(ｋ)・ｄ(ｋ)＋ｎ(ｋ)と表される。
ここで、
Ｅ(ｋ)はＦＦＴ後の複素シンボル、
Ｈ(ｋ)は伝送路特性（伝達関数）、
ｎ(ｋ)は付加雑音、
ｋはサブキャリア番号である。
ゼロフォーシング等化の場合、ｄ(ｋ)＝１とすると、等化係数Ｗ(ｋ)は、
Ｗ(ｋ)＝１／Ｈ(ｋ)＝Ｈ(ｋ)／│Ｈ(ｋ)│２＝Ｅ(ｋ)／│Ｅ(ｋ)│２
となる。
ここで、
Ｅ(ｋ)は複素シンボルの複素共役、
│Ｅ(ｋ)│２複素シンボルのパワーである。
このように、チャネル等化器１４では、受信信号にＷ(ｋ)を乗算し、伝送路歪みの補正を行う。
【００２８】
雑音レベル測定部１５は、評価用パケットを受信した場合に、各サブキャリアの誤差ベクトルの大きさ（ＥＶＭ：Error Vector Magnitude）を評価することにより伝送路の特性を評価する。ここで、誤差ベクトルの大きさとは、ＢＰＳＫ変調された既知信号からなる評価用シンボルと、受信したシンボルとの差のことである。
【００２９】
振幅測定部１６は、ＦＦＴ１３から出力された各サブキャリアの受信信号の振幅を測定するものである。判定部１７は、各サブキャリアの受信信号の振幅値と所定の規定値との大小を比較し、振幅値が規定値以下の場合の受信信号におけるサブキャリアを抽出するものである。サブキャリア選択部１８は、前記判定部１７で判定した判定情報と前記雑音レベル測定部１５で測定された雑音レベルとから、通信に使用するサブキャリアを選択するものである（あるいは使用しないサブキャリアを記憶するものである）。
【００３０】
伝送路評価（サブキャリア選択）は、一対の送信端末と受信端末毎に行われ、実際には、送信端末から評価用パケットを送信し、そのパケットを受信側で受信し、雑音レベルを評価することによりサブキャリアを選択する。選択結果は、受信側から送信側に送り返される。そして、送信側からのデータ送信時に、その選択結果を用いて、選択されているサブキャリアのみにデータを載せて送信することになる。
【００３１】
次に、雑音レベル測定部１５以降の回路部における処理について説明する。ここでは、３通りの処理態様が採用可能であり、それぞれについて以下に説明する。
（１）第１の態様
振幅測定部１６は、各サブキャリアに対して、ＦＦＴ１３からの出力信号である所定数Ｍ個からなる評価用シンボルの各シンボルについて振幅値の算出を行う。判定部１７は、算出された各シンボルの振幅値と規定値とを比較し、規定値以下の場合には複素シンボルを０に置換する。このように、シンボルの振幅値を０に置換するような雑音レベルの推定処理を施すことで、雑音レベルを相対的に大きく扱うようにしている。すなわち、判定部１７で信号の振幅を値０に置換して、前記雑音レベル測定部１５で測定された雑音レベルを相対的に顕在化させることで、サブキャリア選択部１８で、当該サブキャリアが通信に使用するサブキャリアから確実に排除されるようにしている。
【００３２】
ここで、規定値とは、１／│Ｅ(ｋ) │２が表現可能範囲を超える場合の│Ｅ(ｋ) │の値である。具体的には、１／│Ｅ(ｋ) │２のビット割り当てを、（ｎｓ，ｎｉ，ｎｄ）という固定小数演算方式で設定したとき（“ｎｓ”は極性を示し、“ｎｉ”は整数部のビット数を示し、“ｎｄ”は小数部のビット数を示している。）、規定値は、振幅値で定義すると、２の（−ｎｉ／２）乗となる。電力で定義すると、２の（−ｎｉ）乗である（すなわち、２の（−ｎｉ）乗の逆数は、２のｎｉ乗であり、かかる逆数は前述した整数部ｎｉビットに対応したものとなり、表現可能範囲と対応する）。
【００３３】
図３は、ある環境下における伝送路特性の一例を示す特性図で、横軸は周波数（サブキャリアに対応）、縦軸は減衰量を示している。図４は、各サブキャリアの受信パワー（電力）の一例を示す図で、下側の図は縦軸を部分的に拡大した図である。図３に示すように、サブキャリアは１ＭＨｚ〜５０ＭＨｚ中に所定数、ここではＮ個設定されている。図３から判るように、サブキャリアの周波数に対して種々の伝送路特性が存在している。図４では、各サブキャリアの受信信号のパワーが示されており、パワーを示す縦軸には、バーＢａが示してある。このバーＢａは規定値に対応するものである。第１の態様では、各サブキャリアの内の最大シンボル振幅がこのバーＢａ以下であれば、値０に置換される。
【００３４】
図５は、１つの評価シンボルの一部分のシンボル値の一例を示すもので、送信データ、受信データ、規定値との比較、及び比較結果に相当する判定データを示している。
【００３５】
図５において、評価用シンボルは、各シンボルとしてＢＰＳＫ変調された２値の既知信号で作成されている。受信データは伝送路の特性に依存してレベルが変化しており、例えば、１番目のシンボルは、送信データ“＋１”に対して、受信データ “０．２３＋０．０１ｊ”であり、２番目のシンボルは、送信データ“＋１”に対して、受信データ “０．２５−０．０１ｊ”である。
【００３６】
閾値判定においては、受信データ（受信複素シンボル）振幅値と規定値、例えば値０．２５とすると、両値の大小比較が行われ、規定値以下の信号振幅値は値０に置換される。上記例でいえば、１番目のシンボルは、受信データ “０．２３＋０．０１ｊ”であるから値０に置換されており、一方、２番目のシンボルは、受信データ “０．２５−０．０１ｊ”であるから、そのままの値である。第１の態様では、最大シンボル値が、図５中の“０．３＋０．０１ｊ”とすれば、この振幅値と規定値との比較となる。
（２）第２の態様
振幅測定部１６は、各サブキャリアに対して、ＦＦＴ１３からの出力信号である所定数Ｍ個からなる評価用シンボルの各シンボルについて振幅値の算出を行う。また、振幅測定部１６は、Ｍ個のシンボルの振幅値の平均値を算出する。判定部１７は、算出された平均値と規定値とを比較し、比較結果、例えば平均値が規定以下のサブキャリアの情報をサブキャリア選択部１８に出力する。サブキャリア選択部１８は、判定部１７からの情報を受けて、少なくとも当該サブキャリアが通信に使用するサブキャリアから排除されるようにしている。
【００３７】
ここで、規定値とは、１／│Ｅ(ｋ) │２が表現可能範囲を超える場合の│Ｅ(ｋ) │の値である。具体的には、１／│Ｅ(ｋ) │２のビット割り当てを、（ｎｓ，ｎｉ，ｎｄ）という固定小数演算方式で設定したとき（“ｎｓ”は極性を示し、“ｎｉ”は整数部のビット数を示し、“ｎｄ”は小数部のビット数を示している。）、規定値は、振幅値で定義すると、２の（−ｎｉ／２）乗となる。電力で定義すると、２の（−ｎｉ）乗である（すなわち、２の（−ｎｉ）乗の逆数は、２のｎｉ乗であり、かかる逆数は前述した整数部ｎｉビットに対応したものとなり、表現可能範囲と対応する）。
（３）第３の態様
振幅測定部１６は、各サブキャリアに対して、ＦＦＴ１３からの出力信号である所定数Ｍ個からなるトレーニングシンボルについて振幅値の算出を行う。判定部１７は、算出された振幅値と規定値とを比較し、比較結果、例えば振幅値が規定以下のサブキャリアの情報をサブキャリア選択部１８に出力する。サブキャリア選択部１８は、判定部１７からの情報を受けて、少なくとも当該サブキャリアが通信に使用するサブキャリアから排除されるようにしている。
【００３８】
ここで、規定値とは、白色雑音（ＡＷＧＮ）によるばらつきやＡＧＣの利得のばらつきを考慮して設定された値を採用している。既定値を白色雑音によるばらつきを考慮して設定する態様では、例えば、表現可能範囲を超える振幅値が２の（−ｎｉ／２）乗のとき、
ＳＮＲ＝Ｘ dBとした場合、白色雑音の平均振幅レベルは、
│ｄ│・１０―Ｘ／２０
となる。
ただし、│ｄ│は送信信号振幅とする。
表現可能限界である、２の（−ｎｉ／２）乗に白色雑音の平均振幅レベルを加算した値を規定値とする。
【００３９】
図６は、白色雑音によるばらつきを考慮した場合の図で、横軸が実部、縦軸が虚部で、原点を中心にした大きい方の円は、既定値２の（−ｎｉ／２）乗に、白色雑音レベル│ｄ│・１０―Ｘ／２０の円を加算した値、２の（−ｎｉ／２）乗＋│ｄ│・１０―Ｘ／２０を半径とするものであり、この大きな円の内側に含まれるトレーニングシンボルのサブキャリアを判定部１６は不使用サブキャリアとしてサブキャリア選択部１８に知らせるようにしている。
【００４０】
また、既定値をＡＧＣの利得によるばらつきを考慮して設定する態様では、例えば、表現可能範囲を超える振幅値が２の（−ｎｉ／２）乗のとき、ＡＧＣの利得ステップをＳ（dB）とすると、１０Ｓ／２０と表現可能限界である２の（−ｎｉ／２）乗の値とを乗算した値、１０Ｓ／２０・２（−ｎｉ／２）を規定値とする。
【００４１】
図７は、ＡＧＣの利得のばらつきを考慮した場合の図で、横軸が実部、縦軸が虚部で、原点を中心にした大きい方の円は、２の（−ｎｉ／２）乗の値に、ＡＧＣの利得Ｓ（dB）を乗算した値、１０Ｓ／２０・２の（−ｎｉ／２）乗を半径とするものであり、この大きな円の内側に含まれるトレーニングシンボルのサブキャリアを判定部１６は不使用サブキャリアとしてサブキャリア選択部１８に知らせる（送信）ようにしている。
【００４２】
図８は、本発明に係るマルチキャリア受信装置の第２実施形態を示す回路図である。図８に示すマルチキャリア受信装置は、判定部２５の判定結果を受けて、受信信号の振幅補正を行い、振幅が補正された信号をチャネル等化器２７を介して雑音レベル測定部２８に導き、雑音レベルに基づいて、例えば雑音レベルと閾値とを大小比較し、閾値以上の雑音レベルを有するサブキャリアを通信に使用しないサブキャリアとして選択するようにしたものである。なお、ＡＧＣ２１〜振幅測定部２４、チャネル等化器２７、雑音ノイズ測定部２８は、図１と同一機能を果たすものであり、説明は省略する。
【００４３】
判定部２５は、各サブキャリアの評価用シンボルの振幅値を、例えば前記第１の態様のようにして平均化し、この平均値と規定値との大小を比較し、規定値以下の場合には、規定値／平均値の比率を増幅率として振幅補正部２６に出力するものである。振幅補正部２６は、判定部２５から受信した増幅率で、対応するサブキャリアのデータ信号を増幅するものである。これにより、チャネル等化器２７には、信号レベル的には規定値に達した信号として導かれるため、チャネル等化器２７はそのまま等化処理が可能となる。また、増幅されたサブキャリアのデータ信号は雑音も該増幅率に比例して増幅されているので、次段の雑音レベル測定部２８で、増幅された値として測定され、その結果、雑音レベルが設定値より高いとして、サブキャリア選択部２９で、精度良く、不使用側のサブキャリアとして選別されることになる。
【００４４】
なお、判定部２５を単に判定結果のみとし、振幅補正部を入力振幅と出力振幅との関係を予め増幅率を計算した結果としてテーブルメモリ（ルックアップテーブル等）に書き込み、このテーブルメモリにＦＦＴ２３からの信号を入力させ、対応する振幅の信号に変換して出力させる態様としてもよい。これにより、実質的な増幅動作が高速化される。
【００４５】
また、表現可能範囲か否かの対比は、評価結果は実質的に同一となることから、１／│Ｅ(ｋ) │２、の次元（パワー）でもよいし、１／│Ｅ(ｋ) │の次元（振幅値）でもよい。
【図面の簡単な説明】
【００４６】
【図１】本発明に係るマルチキャリア受信装置の一実施形態を示す回路図である。
【図２】マルチキャリア伝送方式で送信される信号の構造を示すもので、（ａ）はデータパケット構成の一例を示し、（ｂ）はテスト用としての評価用パケット構成の一例を示すものである。
【図３】ある環境下における伝送路特性の一例を示す特性図である。
【図４】各サブキャリアの受信パワー（電力）の一例を示す図である。
【図５】１つの評価シンボルの一部分のシンボル値の一例を示すもので、送信データ、受信データ、規定値との比較、及び比較結果に相当する判定データを示している。
【図６】白色雑音によるばらつきを考慮した場合の図である。
【図７】ＡＧＣの利得のばらつきを考慮した場合の図である。
【図８】本発明に係るマルチキャリア受信装置の第２実施形態を示す回路図である。
【符号の説明】
【００４７】
１１，２１  ＡＧＣ（受信部）
１２，２２  Ａ／Ｄ変換器（Ａ／Ｄ変換回路）
１３，２３  ＦＦＴ（復調回路）
１４，２７  チャネル等化器（チャネル等化回路）
１５，２８  雑音レベル測定部（雑音測定回路）
１６，２４  振幅測定部（震幅測定回路）
１７，２５  判定部（判定回路）
１８，２９  サブキャリア選択部（サブキャリア選択回路）
２６  振幅補正部（振幅補正回路）
【図１】
0005021509.tif 000002
【図２】
0005021509.tif 000003
【図３】
0005021509.tif 000004
【図４】
0005021509.tif 000005
【図５】
0005021509.tif 000006
【図６】
0005021509.tif 000007
【図７】
0005021509.tif 000008
【図８】
0005021509.tif 000009